(57)【特許請求の範囲】
【請求項１】
障子閉塞時に障子の上端より突出して窓上枠に係止する施錠杆を備えた開きサッシにおいて、前記障子にばねの付勢によって該障子の上端より突出する係止片を縦動自在に装置し、該係止片に、前記障子に横軸回動自在に枢着した規制枠を該係止片の縦動に伴い回動するよう連けいすると共に、該規制枠には、障子開放時に前記施錠杆の直上に位置して施錠杆の作動を規制し、障子閉塞時に係止片の降下による規制枠の回動で施錠杆の直上位置から離脱して施錠杆を作動可能にする規制部片を設けた、施錠杆の突出防止装置。
【請求項２】
請求項１の施錠杆の突出防止装置を備えた開きサッシ。
【発明の詳細な説明】
【０００１】
【産業上の利用分野】
本発明は、障子閉塞時に障子の上端より該障子内に収納した施錠杆を突出させて上枠に係止させて、障子閉塞状態を維持するようにした開きサッシに係り、障子開放時に前記施錠杆の障子上端からの突出を未然に防止する装置に関するものである。
【０００２】
【従来の技術】
障子閉塞時に、障子の上端より該障子内に納めた施錠杆の上端を突出させて上枠に備えた受止部に係止させて障子の開放を規制し、閉塞状態を維持するようにした開きサッシは、グレモン締り扉等具体例を挙げるまでもなく公知である。
【０００３】
【発明が解決しようとする課題】
前記従来例は、障子に設けた操作レバーを操作することにより施錠杆を障子より突出させて施錠操作を行うものであるが、操作レバーの操作が常に施錠杆に伝達され、障子開放状態時にあっても不必要な操作レバーの操作により施錠杆を障子から突出させることがある。
【０００４】
このため、突出状態のまま障子の閉塞操作を行って施錠杆を上枠に衝接させて施錠杆や上枠に無用な損傷を与えている。
【０００５】
本発明は斯様な従来例の欠点を除去することを目的として創案したものである。
【０００６】
【課題を解決するための手段】
障子閉塞時に障子の上端より突出して窓上枠に係止する施錠杆を備えた開きサッシにおいて、前記障子にばねの付勢によって該障子の上端より突出する係止片を縦動自在に装置し、該係止片に、前記障子に横軸回動自在に枢着した規制枠を該係止片の縦動に伴い回動するよう連けいすると共に、該規制枠には、障子開放時に前記施錠杆の直上に位置して施錠杆の作動を規制し、障子閉塞時に係止片の降下による規制枠の回動で施錠杆の直上位置から離脱して施錠杆を作動可能にする規制部片を設けた構成とする。
【０００７】
【作用】
障子閉塞操作時に、障子の上端より突出する係止片がサッシの開口部を構成する上枠の縁部に接触し、障子は前記開口部内すなわち上枠の内側（下側）に係合しようとするため、係止片はばねの付勢に抗して降下することになり、この係止片の降下に伴って該係止片に連けいした規制枠は回動し、このため規制枠の規制部片は施錠杆の直上位置より離脱し、施錠杆を上枠方向へ移動（上昇）できるようになり、施錠杆の上枠に対する係止すなわち施錠操作を行える状態となる。
【０００８】
また、障子を開放状態におくと、上枠の存在によりばねの付勢による上昇が規制されていた係止片は、上枠との接触状態（ばねの付勢による）からの開放と同時に上昇して障子上端より突出し、この上昇に伴って、係止片に連けいしている規制枠は原位置方向へと回動し、障子の開放状態の際に降下した施錠杆の直上位置に、該規制枠の規制部片は復帰し、施錠杆の上昇を規制し、施錠杆の障子上端よりの突出を防止する。
【０００９】
【実施例】
図面は本発明に係る開きサッシにおける施錠杆の突出防止装置の一実施例を示し、図１は障子開放時における本発明要部の一部欠截正面図、図２は図１のａ−ａ線断面図、図３は図２のｂ−ｂ線断面図、図４は本発明を適用した開きサッシの正面図である。
【００１０】
本発明を適用した実施例の開きサッシは、折り畳み障子Ｂ，Ｂ´と障子閉塞時に一方の折り畳み障子Ｂと召合う開き障子Ａを窓枠Ｃに組付けて構成したものである。
【００１１】
開き障子Ａは、前記一方の折り畳み障子Ｂと召合う召合せ框１に操作レバー２の操作により縦動する上下の施錠杆３，３´を装備し、上施錠杆３の上端部を該窓枠Ｃの上枠Ｃａに、該上施錠杆３に連動する下施錠杆３´を窓枠Ｃの下枠Ｃｂにそれぞれ係止することによりその開放を規制され（施錠され）、規制状態（開き障子Ａの閉塞状態）は維持されるようになっている。
【００１２】
上施錠杆３は上端に施錠部材３Ａを備え、該施錠部材３Ａが前記召合せ框１に収設した装置基枠４を通じて障子Ａの上端より突出し、上枠Ｃａに設けた受止片５の屋内側面５ａに係止することにより前記の規制が行われる。
【００１３】
装置基枠４は、前記施錠部材３Ａの案内通路６と装置室７とを備え、案内通路６には前記施錠部材３Ａを縦動自在に係合する一方、装置室７には、案内通路６を通じての前記施錠部材３Ａ（施錠杆３）の上昇を規制する規制枠８と該規制枠８を作動させる係止片９を収設してある。
【００１４】
規制枠８は、垂直方向にして、しかも、前記案内通路６に面して配した主体部片１０の上端に案内通路６方向に水平状に突出して規制部片１１を連設する一方、主体部片１０の側端には、該主体部片１０の一方の片面側（前記案内通路６側）方向にして支持部片１２，１２を、また、他の一方の片面側方向にして連けい部片１３，１３をそれぞれ相対して連設して構成し、支持部片１２，１２を前記案内通路６を挟むようにして配し、該案内通路６の構成部片に枢支ピン１４で回動自在に枢着して装置基枠４の組付けたものである。すなわち、規制枠８は、枢支ピン１４を支軸として回動し、該規制枠８の構成部片である前記規制部片１１を、その回動に伴って前記の案内通路６上、すなわち、施錠部材３Ａ（上施錠杆３）の直上を出入するようにして装置基枠４（召合せ框１）に取付けたもので、規制部片１１が上施錠杆３（施錠部材３Ａ）の直上（案内通路６上）に位置することにより、操作レバー２の操作による上施錠杆３の上昇（施錠杆３，３´の縦動）を規制し、施錠杆３，３´の不測による上枠Ｃａ乃至下枠Ｃｂの衝接を防止する。
【００１５】
規制枠８は、連けい部片１３に設けた長孔１５に、前記装置室７に縦動可能にして組付けた前記係止片９の主杆９Ｂに設けたピン１６を係合させて係止片９と連けいし、係止片９の縦動に伴って前記枢支ピン１４を支軸とした回動動作が行われるようになっている。
【００１６】
係止片９は主杆９Ｂの上端に係止部片９Ａを設け、大径部９Ｂ´と小径部９Ｂ´´とから成る主杆９Ｂの小径部９Ｂ´´を前記装置室７の底壁部片７ａに貫通させ、底壁部片７ａより突出する小径部９Ｂ´´の下端に前記底壁部片７ａに係止する鍔部片９Ｃを設けて前記装置基枠４に組付けたもので、主杆９Ｂの大径部９Ｂ´と前記底壁部片７ａとの間に前記小径部９Ｂ´´に巻回したコイルばね１７を介在させ、このコイルばね１７の付勢によって前記係止部片９Ａは召合せ框１（開き障子Ａの上端）より常時突出し、その突出状態において前記規制部片１１は施錠杆３の直上に位置して施錠杆３の上昇を規制する。
【００１７】
係止部片９Ａは、その上端に開き障子の屋内面側から屋外面側方向に次第に上昇する傾斜縁ａを備え、該傾斜縁ａの下部側から上部側へと前記上枠Ｃａに相対的に接触することにより、前記コイルばね１７に抗して係止部片９Ａすなわち係止片９が召合せ框１に沿って降下し、規制部片１１が施錠杆３（施錠部材３Ａ）の直上より離脱し、規制部片１１の規制が解放されて施錠杆３は上昇できるようになっている。
【００１８】
なお、係止部片９Ａは、上枠Ｃａに設けた合成樹脂製の案内材１８の平面状の下面によって相対的に押圧されてその降下状態が維持され、案内材１８の下面位置より離脱したとき、コイルばね１７の作用により再び原位置に復帰する。
【００１９】
しかして、障子Ａの開放状態時に合っては、係止片９は係止部片９Ａに対して外力が作用していないため、コイルばね１７の作用により前記係止部片９Ａ部が障子Ａ上端より突出し、かつ、この状態にあって、係止片９がピン１６を介して規制枠８を枢支ピン１４を中心に時計回り方向（図２において）、すなわち、規制部片１１を押し上げる方向に回動させ、規制部片１１は施錠部材３Ａ（施錠杆３）の案内路８上に位置し、施錠部材３Ａの障子Ａ上端からの突出を規制する。
【００２０】
従って、この規制状態で障子Ａを閉塞方向に回動させても施錠部材３Ａ（上施錠杆３）は障子Ａ内に納まり（下施錠杆３´も勿論）、窓上枠Ｃａに衝接することがなく、当該施錠部材３Ａ部は窓枠Ｃ内に納まり障子Ａの閉塞状態が得られる。
【００２１】
そして、この閉塞状態への過程において、係止片９は係止部片９部において窓上枠Ｃａ（実施例では案内材１８）に相対的に押圧されてコイルばね１７の付勢に抗して降下し、該降下に伴うピン１６位置の降下により、規制枠８は、枢支ピン１４を中心に図２反時計回り方向に回動し、規制部片１１は上施錠杆３の直上位置より離脱し、このとき、操作レバー２を操作することにより上施錠杆３は上昇し、施錠部材１３Ａは上枠Ｃａ（受止片５の屋内側面５ａ）に係止して障子Ａの施錠が行われる。
【００２２】
なお、下施錠杆３´は上施錠杆３と常に連動しており、実施例の場合は、下施錠杆３´は下枠Ｃｂを単に係離するようになっているが、上施錠杆３側に存する係止片９と規制枠８を組合わせた装置を下施錠杆３´側に設けても不都合はない。
【００２３】
操作レバー２により施錠杆３，３´を障子Ａ内に収め、障子Ａを開放することにより係止片９との各部材は原位置に復帰することは勿論である。
【００２４】
【発明の効果】
本発明は前記の通りの構成であるから、係止片が窓上枠によって相対的に押下されない限り（特別に人為的に押下する場合はともかく）、規制部片が施錠杆の直上に位置し、従って、障子の閉鎖操作時に施錠杆の周側と窓枠との相対的な衝接を未然に防止して、障子閉塞操作時における両者の損傷を防止する施錠杆の突出防止装置及びその装置を備えた開きサッシを提供することができる。
【図面の簡単な説明】
【図１】障子開放時における本発明要部の一部欠截正面図。
【図２】図１のａ−ａ線断面図。
【図３】図２のｂ−ｂ線断面図。
【図４】本発明を適用した開きサッシの正面図。
【符号の説明】
Ａ      開き障子
Ｃａ    窓上枠
３      施錠杆
８      規制枠
９      係止片
１１    規制部片
【図１】
0004629905.tif 000002
【図２】
0004629905.tif 000003
【図３】
0004629905.tif 000004
【図４】
0004629905.tif 000005